(57)【要約】【課題】緊急遮断弁として設ける弁の設置数を減らした水槽システムを提供することを課題とする。【解決手段】本発明に係る水槽システムは、貯水室１４、１６形成されている水槽１８と、一部が貯水室１４内に固定されているとともに一部が水槽１８の外部に配置されている三方弁２０と、を備えている。三方弁２０は、貯水室１４内に連通する第１流入用配管部４４と、貯水室１６に連通する第２流入用配管部４６と、水槽１８の外部に配置されている三方弁２０の外壁部３２に接続された取水用配管部３４と、を備えている。この外壁部３２は、第１流入用配管部４４、第２流入用配管部４６及び取水用配管部３４に連通する弁収容ゾーンＺ１を形成している。また、三方弁２０は、弁収容ゾーンＺ１に回動可能に配置された弁体３８と、水槽１８の外部に配置され弁体３８への回動力が入力される回動軸部４０と、を有する。【選択図】図２
2009156427.tif 000002
【特許請求の範囲】
【請求項１】
少なくとも２つの貯水室が形成されている水槽と、
一部が一の貯水室内に固定されているとともに一部が前記水槽の外部に配置されている三方弁と、
を備え、
前記三方弁は、一の貯水室内に連通する第１流入ライン部と、
前記一の貯水室に隣接する隣接貯水室に連通する第２流入ライン部と、
前記水槽の外部に配置されている三方弁部分に接続された取水ライン部と、
前記第１流入ライン部、前記第２流入ライン部及び前記取水ライン部に連通する弁収容ゾーンを形成する弁ハウジング部と、
前記弁収容ゾーンに回動可能に配置され、前記弁体の回動位置を切り換えることにより前記第１流入ライン部、前記第２流入ライン部及び前記取水ライン部の開閉を切り換える弁体と、
前記水槽の外部に配置され前記弁体への回動力が入力される入力部と、
を有することを特徴とする水槽システム。
【請求項２】
前記弁体が前記一の貯水室の外部に位置するように前記弁ハウジング部が設けられ、
前記入力部として、前記三方弁の外側に端部が延び出すとともに前記弁体を回動可能に保持している回動軸部が設けられていることを特徴とする請求項１に記載の水槽システム。
【請求項３】
前記弁ハウジング部内に上流側から延び出して、前記弁ハウジング部との間で、前記第１流入ライン部の下流部を一方側に形成するとともに前記第２流入ライン部の下流部を他方側に形成する仕切り部を備え、
前記仕切り部の下流端と前記取水ライン部の上流端との間に前記弁体が配置され、前記仕切り部の下流端側及び前記取水ライン部の上流端側には前記弁体の形状に合わせた封止用凸部がそれぞれ設けられていることにより、前記第１流入ライン部、前記第２流入ライン部及び前記取水ライン部を全て閉とすることが可能とされていることを特徴とする請求項２に記載の水槽システム。
【請求項４】
前記弁体が前記一の貯水室の内部に位置し、
前記入力部として、前記三方弁の外側に端部が延び出す回動軸部が設けられ、
前記回動軸部からの回動力を前記弁体にまで伝達するギア機構が更に設けられていることを特徴とする請求項１に記載の水槽システム。
【請求項５】
前記弁体が半球状又は半円柱状であることを特徴とする請求項４に記載の水槽システム。
【請求項６】
前記回動軸部を回動させるアクチュエータが設けられたことを特徴とする請求項２〜５のうちいずれか１項に記載の水槽システム。
【発明の詳細な説明】
【技術分野】
【０００１】
本発明は、複数の貯水室が形成されている水槽からの水を緊急時に遮断する緊急遮断弁を備えた水槽システムに関する。
【背景技術】
【０００２】
マンション、テナントビル、工場、商業施設等には、飲料水、中水などを貯留する水槽が設置されている（例えば特許文献１、２参照）。このような水槽を設置する場合、地震などの災害発生時に建屋の配管等が破損したときに水槽からの流水を遮断し、二次災害の防止や生活用水を確保する手段を設ける必要がある。従来では、この手段として、振動をいち早く感知し水槽の流出口付近で自動的に配管を閉じる緊急遮断弁が設けられていた。このような緊急遮断弁を配置する際、地震等で水槽が移動したときに水槽と一体的に移動させて、緊急遮断弁と水槽との間の配管部分から水漏れなどの事故が生じることを防止する必要がある。
【０００３】
ところで、比較的大型の水槽（例えば大型のパネル水槽）では、複数の貯水室を形成し、一部の貯水室で清掃などのメンテナンスを行いつつ、残りの貯水室で通常の運転を行うシステムにしていることが多い。この場合、上述したように緊急遮断弁が水槽と一体的に移動することを確保するために、各貯水室近くにそれぞれ緊急遮断弁を配置する必要がある。このため、高価な緊急遮断弁を貯水室の数だけ配置することが必要であり、作業面、コスト面での改善が望まれていた。
【特許文献１】特開平１０−１８４９５８号公報
【特許文献２】特開平１０−３３２０１４号公報
【発明の開示】
【発明が解決しようとする課題】
【０００４】
本発明は、上記事実を考慮して、緊急遮断弁として設ける弁の設置数を減らした水槽システムを提供することを課題とする。
【課題を解決するための手段】
【０００５】
請求項１に記載の発明は、少なくとも２つの貯水室が形成されている水槽と、一部が一の貯水室内に固定されているとともに一部が前記水槽の外部に配置されている三方弁と、を備え、前記三方弁は、一の貯水室内に連通する第１流入ライン部と、前記一の貯水室に隣接する隣接貯水室に連通する第２流入ライン部と、前記水槽の外部に配置されている三方弁部分に接続された取水ライン部と、前記第１流入ライン部、前記第２流入ライン部及び前記取水ライン部に連通する弁収容ゾーンを形成する弁ハウジング部と、前記弁収容ゾーンに回動可能に配置され、前記弁体の回動位置を切り換えることにより前記第１流入ライン部、前記第２流入ライン部及び前記取水ライン部の開閉を切り換える弁体と、前記水槽の外部に配置され前記弁体への回動力が入力される入力部と、を有することを特徴とする。
【０００６】
請求項１に記載の発明では、一の貯水室内に三方弁の一部が固定されているので、水槽が移動したときには三方弁が水槽と一体的に移動する。従って、三方弁に緊急遮断弁としての機能を持たせることができるので、緊急遮断弁として配置すべき弁の数を三方弁の数にまで低減させることができる。
また、三方弁の一部が水槽の外部に配置されているので、入力部を水槽の外部に位置させることができる。従って、水槽の外部から弁体の開閉が切換可能となる。これにより、回動軸に回動力を伝達するためだけに水槽壁に開口部を形成することを回避できる。よって、水槽壁に形成する開口部の数を低減させた水槽システムとすることができる。
【０００７】
請求項２に記載の発明は、前記弁体が前記一の貯水室の外部に位置するように前記弁ハウジング部が設けられ、前記入力部として、前記三方弁の外側に端部が延び出すとともに前記弁体を回動可能に保持している回動軸部が設けられていることを特徴とする。
請求項２に記載の発明では、入力部として設けられた回動軸部で直接に弁体を回動させることさせることができる。従って、回動力の伝達構造を簡素にすることができる。
【０００８】
請求項３に記載の発明は、前記弁ハウジング部内に上流側から延び出して、前記弁ハウジング部との間で、前記第１流入ライン部の下流部を一方側に形成するとともに前記第２流入ライン部の下流部を他方側に形成する仕切り部を備え、前記仕切り部の下流端と前記取水ライン部の上流端との間に前記弁体が配置され、前記仕切り部の下流端側及び前記取水ライン部の上流端側には前記弁体の形状に合わせた封止用凸部がそれぞれ設けられていることにより、前記第１流入ライン部、前記第２流入ライン部及び前記取水ライン部を全て閉とすることが可能とされていることを特徴とする。
【０００９】
このように、請求項３に記載の発明では、三方弁が、第１流入ライン部、第２流入ライン部、及び、取水ライン部を全閉状態にすることが可能とされている。従って、三方弁の下流側に更に開閉弁を設ける必要はないので、装置構成をより簡素にすることができる。
【００１０】
請求項４に記載の発明は、前記弁体が前記一の貯水室の内部に位置し、前記入力部として、前記三方弁の外側に端部が延び出す回動軸部が設けられ、前記回動軸部からの回動力を前記弁体にまで伝達するギア機構が更に設けられていることを特徴とする。
請求項４に記載の発明では、弁体が一の貯水室の内部に位置していても、回動軸部からの回動力がギア機構によって弁体にまで伝達される。
【００１１】
請求項５に記載の発明は、前記弁体が半球状又は半円柱状であることを特徴とする。
これにより、三方弁の構成を簡素にしても請求項４に記載の効果を得ることができる。
【００１２】
請求項６に記載の発明は、前記回動軸部を回動させるアクチュエータが設けられたことを特徴とする。
これにより、回動軸部を汎用のアクチュエータで回動させることができる。
【発明の効果】
【００１３】
本発明によれば、緊急遮断弁として設ける弁の設置数を減らした水槽システムとすることができる。
【発明を実施するための最良の形態】
【００１４】
以下、実施形態を挙げ、本発明の実施の形態について説明する。なお、第２実施形態以下では、既に説明した構成要素と同様のものには同じ符号を付して、その説明を省略する。
【００１５】
［第１実施形態］
まず、第１実施形態について説明する。図１に示すように、本実施形態に係る水槽システム１０は、中仕切壁１２によって２つの貯水室１４、１６が形成されている水槽１８と、三方弁２０と、を備えている。図２に示すように、三方弁２０は、一部が貯水室１４内に固定されているとともに一部が水槽１８の外部に配置されている。貯水室１４の側壁２２には、三方弁２０の一部が水槽１８の外部に突出できるように開口部２４が形成されている。
【００１６】
三方弁２０は、側壁２２に水槽内側から固定されて開口部２４を塞ぐ側壁固定フランジ部３０と、側壁固定フランジ部３０から水槽１８の外部に延び出して弁収容ゾーンＺ１を形成している外壁部３２と、外壁部３２に連続して弁収容ゾーンＺ１に連通する取水用配管部３４と、を有する。従って、外壁部３２は弁ハウジング部としての機能を有する。また、三方弁２０は、弁収容ゾーンＺ１に収容された弁体３８と、弁体３８を回動可能に保持する回動軸部４０と、を有しており、回動軸部４０によって弁体３８の回動位置を任意に切り換えることが可能になっている。回動軸部４０は外壁部３２を上方向に貫通してアクチュエータ等によって回動力が伝達されるようになっている。
【００１７】
更に、三方弁２０は、弁収容ゾーンＺ１（図２（Ｂ）参照）内に上流側から延び出している仕切り部４２と、側壁固定フランジ部３０及び仕切り部４２に連続して貯水室１４内で開口している第１流入用配管部４４と、側壁固定フランジ部３０及び仕切り部４２に連続して貯水室１６に開口している第２流入用配管部４６と、を有する。仕切り部４２は、外壁部３２との間で第１流入用配管部４４に連通する第１流入路５４を一方側（図２（Ｂ）の紙面下側）に形成するとともに第２流入用配管部４６に連通する第２流入路５６を他方側（図２（Ｂ）の紙面上側であり貯水室１６の側）に形成している。
【００１８】
なお、中仕切壁１２には、第２流入用配管部４６が貯水室１６に連通するように開口部１３が形成されており、第２流入用配管部４６には中仕切壁１２に固定される中仕切壁固定フランジ部５０が形成されている。
【００１９】
弁体３８は、半球状又は半円柱状にされており、仕切り部４２は、下流端（先端）に、弁体３８の外周形状に合わせた凹部３６を有する。
図２、図３に示すように、取水用配管部３４の上流端側には、弁体３８の外周形状に合わせた封止用凸部３５が形成されている。凹部３６の下流端側である凹部３６の周縁部にも、弁体３８の外周形状に合わせた封止用凸部（封止用周縁部）３７が形成されている。
【００２０】
（作用、効果）
以下、本実施形態の作用、効果について説明する。
貯水室１４及び貯水室１６の両方から取水するには、水槽１８の外部に設けられたアクチュエータ等により回動軸部４０を回動させ、弁体３８の回動位置を図３（Ａ）に示すように三方開の状態にする。
緊急遮断時などで第１流入路５４、第２流入路５６及び取水用配管部３４を全て閉じるには、図３（Ｂ）に示すように三方閉の状態にする。
貯水室１４と貯水室１６との間で水を流動させるには、図３（Ｃ）に示すように第１流入路５４と第２流入路５６とが連通し取水用配管部３４が閉となる状態にする。
【００２１】
貯水室１６のメンテナンス時などで貯水室１４のみから取水するには、図３（Ｄ）に示すように第１流入路５４と取水用配管部３４とが連通し第２流入路５６が閉となる状態にする。
同様に、貯水室１４のメンテナンス時などで貯水室１６のみから取水するには、図３（Ｅ）に示すように第２流入路５６と取水用配管部３４とが連通し第１流入路５４が閉となる状態にする。
【００２２】
以上説明したように、本実施形態では、貯水室１４内に三方弁２０の一部分が固定されているので、地震等により水槽１８が移動したときには三方弁２０が水槽１８と一体的に移動する。従って、三方弁２０に緊急遮断弁としての機能を持たせることができるので、緊急遮断弁として配置すべき弁の数を三方弁２０の数にまで低減させることができる。
【００２３】
また、三方弁２０の一部が水槽の外部に位置するように外壁部３２が設けられているので、回動軸部４０を水槽１８の外部に位置させることが可能になっている。従って、水槽１８の外部から弁体３８の開閉が切換可能なので、回動軸部４０に回動力を伝達するためだけに水槽１８の側壁に開口を形成することを回避できる。よって、水槽壁に形成する開口部の数を低減させた水槽システム１０とすることができる。しかも、水槽１８と外部空間とを区画している側壁に形成する開口部を、三方弁２０が配置されている貯水槽１８の側壁２２に形成された開口部２４の１箇所のみとすることができる。
そして、回動軸部４０で直接に弁体３８を回動させることができるので、回動力の伝達構造を簡素にすることができている。その上、回動軸部４０を回動させることを汎用のアクチュエータで行うことができる。
【００２４】
また、本実施形態では、弁体３８の回動位置を切り換えることによって、三方開の状態（図３（Ａ）参照）、三方閉の状態（図３（Ｂ）参照）、二方開で一方閉の状態（図３（Ｃ）〜（Ｅ）参照）の５つの開閉状態を任意に切り換えることができる。つまり、三方閉の状態にすることが可能なので、三方弁２０の下流側に開閉弁を更に設けなくても済む。
また、弁体３８が半球状又は半円柱状であるので、三方閉の状態にすることが可能な弁構造の構成を簡素にできる。
なお、本実施形態では弁体３８の形状を半球状又は半円筒状としたが、弁体の形状を他の形状としてもよい。
【００２５】
［第２実施形態］
次に、第２実施形態について説明する。図４に示すように、本実施形態に係る水槽システムでは、第１実施形態に比べ、設けられた三方弁７０の構造が異なる。
【００２６】
三方弁７０は、第１実施形態と同様、一部が貯水室１４内に固定されているとともに一部が水槽１８の外部に配置されている。貯水室１４を形成している側壁７２には、三方弁７０の一部が水槽１８の外部に突出できるように開口部７４が形成されている。
【００２７】
図４（Ａ）に示すように、三方弁７０は略Ｔ字状とされており、弁体７８と、弁体７８を収容する弁収容ゾーンＺ２を形成している弁ハウジング部８２と、弁ハウジング部８２から延出して貯水室１４内で開口している第１流入用配管部８４と、弁ハウジング部８２から延出して貯水室１６に連通する第２流入用配管部８６と、を有する。中仕切壁１２には、第２流入用配管部８６が貯水室１６に連通するように開口部８３が形成されており、第２流入用配管部８６には中仕切壁１２に固定される中仕切壁固定フランジ部９０が形成されている。
【００２８】
更に、三方弁７０は、弁ハウジング部８２に連続して水槽１８の外部にまで延び出している取水用配管部９４を有する。取水用配管部９４には、開口部７４を塞ぐ側壁固定フランジ部９６が形成されている。
また、三方弁７０は、水槽１８の外部で取水用配管部９４を貫通する回動軸部１００と、回動軸部１００を回動させるアクチュエータ１０２と、回動軸部１００から弁体７８に回動力を伝達するギア機構１０４と、を有する。
【００２９】
弁体７８は半球状とされており、弁ハウジング部８２の内側には、第１実施形態と同様、弁体７８の外周形状に合わせた封止用凸部が形成されている。この構成により、弁体７８の回動位置を切り換えることによって、三方開の状態、三方閉の状態、二方開で一方閉の状態の５つの開閉状態を任意に切り換えることが可能になっている。
【００３０】
本実施形態により、弁体７８が貯水室１４の内部に位置していても、回動軸部１００からの回動力がギア機構１０４によって弁体７８にまで伝達される。
【００３１】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【図面の簡単な説明】
【００３２】
【図１】第１実施形態に係る水槽システムの全体構成を示す模式的な平面図である。
【図２】図２（Ａ）及び（Ｂ）は、それぞれ、第１実施形態に係る水槽システムの要部を示す斜視図及び平面断面図である。
【図３】図３（Ａ）から（Ｅ）は、それぞれ、第１実施形態に係る水槽システムの要部で、三方開の状態（Ａ）、三方閉の状態（Ｂ）、及び、二方開で一方閉の状態（Ｃ）〜（Ｅ）を示す平面断面図である。
【図４】図４（Ａ）及び（Ｂ）は、それぞれ、第２実施形態に係る水槽システムの要部を示す平面断面図及び側面断面図である。
【符号の説明】
【００３３】
１０  水槽システム
１４  貯水室
１６  貯水室
１８  水槽
２０  三方弁
３２  外壁部（弁ハウジング部）
３４  取水用配管部（取水ライン部）
３５  封止用凸部
３７  封止用凸部
３８  弁体
４０  回動軸部
４２  仕切り部
４４  第１流入用配管部（第１流入ライン部）
４６  第２流入用配管部（第２流入ライン部）
５４  第１流入路（下流部）
５６  第２流入路（下流部）
７０  三方弁
７８  弁体
８２  弁ハウジング部
８４  第１流入用配管部（第１流入ライン部）
８６  第２流入用配管部（第２流入ライン部）
９４  取水用配管部（取水ライン部）
１００  回動軸部
１０２  アクチュエータ
１０４  ギア機構
Ｚ１  弁収容ゾーン
Ｚ２  弁収容ゾーン
【図１】
2009156427.tif 000003
【図２】
2009156427.tif 000004
【図３】
2009156427.tif 000005
【図４】
2009156427.tif 000006